(57)【特許請求の範囲】
【請求項１】
底部を開放し、上部に汚泥供給手段を有し、かつ水平移動可能に吊り下げた濾布袋と、
前記濾布袋底部の両側に配置し、濾布袋底部を挟んで閉塞させる閉塞治具と、
前記濾布袋を水平方向に圧縮する圧縮装置とよりなる、
汚泥絞り装置。
【請求項２】
請求項１に記載の汚泥絞り装置において、圧縮装置は、濾布袋に隣接させて配置し、水平移動可能に構成した圧縮板を用いる、汚泥絞り装置。
【請求項３】
請求項２に記載の汚泥絞り装置において、圧縮板は、濾布袋を圧縮すると同時に、閉塞治具を押圧して濾布袋底部の閉塞を行えるよう構成した、汚泥絞り装置。
【請求項４】
請求項１乃至３のいずれかに記載の汚泥絞り装置において、濾布袋の両側に集水部材を配置して構成した、汚泥絞り装置。
【請求項５】
請求項４に記載の汚泥絞り装置において、集水部材の下端部に閉塞治具を取り付けて構成した、汚泥絞り装置。
【請求項６】
請求項４に記載の汚泥絞り装置において、集水部材の下端部に樋を設け、この樋の下部に閉塞治具を取り付けて構成した、汚泥絞り装置。
【請求項７】
請求項１乃至６のいずれかに記載の汚泥絞り装置において、濾布袋の加振装置を付設して構成した、汚泥絞り装置。
【発明の詳細な説明】
【０００１】
【発明の属する技術分野】
本発明は汚泥絞り装置に関するものである。
【０００２】
【従来の技術】
汚泥の絞り装置として、従来から、いわゆるバッグフィルタ−と呼ばれるものが存在する。このバッグフィルタ−は単体の濾布袋であり、この袋内に汚泥を供給し、フィルタ−プレス装置で圧縮した後に圧縮汚泥を取り出す手順で使用される。
【０００３】
【発明が解決しようとする課題】
上述のバッグフィルタ−は簡易構造である利点を有しているが、単体で用いられるため（ワンバッグ方式）、小規模の汚泥処理には対応できるが、それ以上の規模には対応できなかった。
【０００４】
また、専用のフィルタ−プレス装置を用いる必要があり、コストアップが強いられていた。
【０００５】
【発明の目的】
本発明は、上記のような問題点を解決するためになされたもので、簡易構造でかつ任意の汚泥処理規模に対応でき、しかもコストダウンを図ることができる汚泥絞り装置を提供することを目的とする。
【０００６】
【課題を解決するための手段】
上記課題を解決するための手段として、本発明は請求項１において、底部を開放し、上部に汚泥供給手段を有し、かつ水平移動可能に吊り下げた濾布袋と、前記濾布袋底部の両側に配置し、濾布袋底部を挟んで閉塞させる閉塞治具と、前記濾布袋を水平方向に圧縮する圧縮装置とよりなる、汚泥絞り装置を提供する。
【０００７】
また請求項２として、上記請求項１に記載の汚泥絞り装置において、圧縮装置は、濾布袋に隣接させて配置し、水平移動可能に構成した圧縮板を用いる、汚泥絞り装置を提供する。
【０００８】
また請求項３として、上記請求項２に記載の汚泥絞り装置において、圧縮板は、濾布袋を圧縮すると同時に、閉塞治具を押圧して濾布袋底部の閉塞を行えるよう構成した、汚泥絞り装置を提供する。
【０００９】
また請求項４として、上記請求項１乃至３のいずれかに記載の汚泥絞り装置において、濾布袋の両側に集水部材を配置して構成した、汚泥絞り装置を提供する。
【００１０】
また請求項５として、上記請求項４に記載の汚泥絞り装置において、集水部材の下端部に閉塞治具を取り付けて構成した、汚泥絞り装置を提供する。
【００１１】
また請求項６として、上記請求項４に記載の汚泥絞り装置において、集水部材の下端部に樋を設け、この樋の下部に閉塞治具を取り付けて構成した、汚泥絞り装置を提供する。
【００１２】
さらに請求項７として、上記請求項１乃至６のいずれかに記載の汚泥絞り装置において、濾布袋の加振装置を付設して構成した、汚泥絞り装置を提供する。以下、図面を参照しながら、本発明の実施の形態について説明する。
【００１３】
【発明の実施の形態】
本発明の装置は以下の部材より構成される。
＜イ＞架台
架台は図１、２に示すように、水平方向にかつ所定の間隔をおいて平行に配した２本のガイドレ−ル１の両端を、支持壁１１で支持して構成する。そして、架台の適宜場所に、ガイドレ−ル１に振動を与えられるように加振装置１２を装備する。
【００１４】
＜ロ＞濾布袋
濾布袋２は底部を開放した濾布よりなる袋体である。この濾布袋２の上端には汚泥吐出管３が挿通されており、その両端に取り付けられたロ−ラ３１によってガイドレ−ル１に沿って水平移動可能に構成されている。この濾布袋２は、汚泥処理の規模に応じて適宜数設置する。
【００１５】
＜ハ＞汚泥吐出管
汚泥吐出管３は、その周面の下部に複数の吐出孔３２を有し、また汚泥入口管３３を分岐させて立ち上げている。この汚泥入口管３３には、濾布袋２の水平移動に追従できるようフレキシブルホ−ス３４を連結し、汚泥圧送ポンプ等と連通させる。
【００１６】
＜ニ＞集水部材
集水部材４は、金網や有孔板等の有孔部材よりなる板体あるいはシ−ト状体である。この集水部材４は、吊下ロッド４１で吊り下げられて濾布袋２の両側に配置され、吊下ロッド４１の両端に装着されたロ−ラ４２によって、ガイドレ−ル１に沿って水平移動可能に構成されている。
【００１７】
本実施の形態は集水部材４を二枚折りにして吊下ロッド４１に引っ掛けた構造である。また、集水部材４の下端辺に沿って樋４３を取り付ける。但し、この樋４３は設けない場合もある。
【００１８】
＜ホ＞閉塞治具
閉塞治具５は、各樋４３の下面に沿って接合されるブロック状の部材である。閉塞治具５の水平方向の一端側には凸部５１を形成し、その反対側の端部には凸部５１と合致する凹部５２を形成する。
【００１９】
なお、樋４３を設けない場合は閉塞治具５を直接、集水部材４の下端部に取り付ける。また、閉塞治具５は集水部材４の下端部に取り付けず、専用の吊り部材によって吊下げてもよい。さらに、濾布袋２の底部を挟んで閉塞できる形状であれば、凹凸部が無い形状や、その他の形状であってもよい。
【００２０】
＜ヘ＞圧縮装置
圧縮装置は、支持壁１１に一番近い位置に吊下げた圧縮板６と、その圧縮板６を移動させるための圧縮ハンドル６２とよりなる。圧縮板６はその上端の両側にロ−ラ６１が装着され、ガイドレ−ル１に沿って移動可能に構成されている。また圧縮ハンドル６２は、支持壁１１に螺着され、圧縮板６に直交して当接するねじ棒とそれを回すためのハンドルよりなる。
【００２１】
なお本実施の形態では、圧縮板６が、濾布袋２と閉塞治具５の両方の押圧機能を担っているが、濾布袋２と閉塞治具５を別々の押圧機構で押圧する形態であってもよい。また、圧縮板６を両側の支持壁１１の近傍に設け、両側から濾布袋２を挟んで圧縮する構造であってもよい。
【００２２】
【作用】
次に上記構造の装置を用いた汚泥処理方法について説明する。
＜イ＞汚泥の絞り工程
図２に示すように、圧縮板６によって、濾布袋２群及び集水部材４群と、閉塞治具５群を同時に押圧する。これによって、隣接する閉塞治具５同士の凸部５１と凹部５２が濾布袋２の底部を挟んで合致する。そのため、各濾布袋２内の容積が均等な状態で底部が閉塞される。
【００２３】
この状態で汚泥吐出管３より汚泥を濾布袋２内に圧入して濾過する。濾過後の処理水は濾布袋２の外側に染み出し、集水部材４を伝わって樋４３に流下し、樋４３から所定の場所に排出される。
【００２４】
＜ロ＞圧縮汚泥の排出工程
絞り工程が終了したら、図３に示すように、圧縮板６を支持壁１１側に後退させて、合致していた閉塞治具５群を自然離脱させる。これにより、濾布袋２群及び集水部材４群の間に間隙を確保し、濾布袋２群の底部を自然開放する。
【００２５】
そして、加振装置１２を作動させて濾布袋２群に振動を与えて、濾布袋２内の圧縮汚泥７を落下、排出させる。このとき、加振操作に加えて、濾布袋２内に汚泥吐出管３を介して圧縮空気を供給して、圧縮汚泥７の落下、排出の促進を図ることもできる。
【００２６】
なお、閉塞治具５群の離脱を促進するため、圧縮板６及び閉塞治具５群をロ−プ等で連結し、ロ−プの牽引力で強制的に離脱させることもできる。
【００２７】
【発明の効果】
本発明は以上説明したようになるため、次のような効果を得ることができる。
＜イ＞汚泥の処理規模に応じて濾布袋等を増減することができるため、任意の規模に対応することができる。
【００２８】
＜ロ＞装置全体が簡易構造であり、しかも従来のフィルタ−プレス装置を用いる必要がないため、コストの低減を図ることができる。
【図面の簡単な説明】
【図１】  本発明の汚泥絞り装置の斜視図
【図２】  汚泥圧縮工程の説明図
【図３】  圧縮汚泥の排出工程の説明図
【図１】
0003721550.tif 000002
【図２】
0003721550.tif 000003
【図３】
0003721550.tif 000004